(57)【要約】【課題】複数のファイルの選択を容易に行えるようにするとともに、操作ミスによってファイルの選択状態が誤って解除されることを防ぎ、かつ、処理対象のファイルを分かりやすくする。【解決手段】画像記録装置１０３の画像ファイルの画像がチェックボックスと共に表示装置１０１に一覧表示された状態において、入力装置１０２からオフの状態のチェックボックスが指示された場合には、チェックボックス表示制御手段１０６は、当該チェックボックスの表示をオンの状態にし、選択状態表示制御手段１０５は、当該チェックボックスにおける画像の表示を選択状態とする。また、入力装置１０２から画像が指示された場合には、選択状態表示制御手段１０５は、当該画像の表示を選択状態とすると共に、チェックボックスがオンの状態の画像を除く他の画像の表示を選択状態が解除されたものとする。【選択図】図１
2008269083.tif 000002
【特許請求の範囲】
【請求項１】
複数のファイルを記録する記録手段と、
指示の入力を行うための入力手段と、
前記記録手段に記録されているファイルに係る画像を表示手段の第１の表示領域に一覧表示する画像表示制御手段と、
前記第１の表示領域に表示された画像に対して選択状態に係る表示を行う選択状態表示制御手段と、
前記第１の表示領域に表示された画像にチェックボックスを表示すると共に、当該チェックボックスのオン／オフの状態を切り替える表示を行うチェックボックス表示制御手段とを有し、
前記入力手段によりオフの状態の前記チェックボックスが指示された場合には、前記チェックボックス表示制御手段は、当該チェックボックスの表示をオンの状態にし、前記選択状態表示制御手段は、当該チェックボックスにおける画像の表示を選択状態とし、
前記入力手段により画像が指示された場合には、前記選択状態表示制御手段は、当該画像の表示を選択状態とすると共に、前記チェックボックスがオンの状態の画像を除く他の画像の表示を選択状態が解除されたものとすることを特徴とするファイル管理装置。
【請求項２】
前記表示手段には、前記第１の表示領域で前記選択状態となった画像を表示する第２の表示領域が設けられており、
前記画像表示制御手段は、当該選択状態となった画像を前記第２の表示領域に表示し、前記選択状態表示制御手段は、前記第２の表示領域に表示された画像に対して前記選択状態の表示を行うことを特徴とする請求項１に記載のファイル管理装置。
【請求項３】
前記チェックボックス表示制御手段は、前記第２の表示領域に表示された画像に前記チェックボックスを更に表示し、前記第１の表示領域で前記選択状態となった画像の前記チェックボックスの表示がオンの状態の場合には、前記第２の表示領域に表示された当該画像の前記チェックボックスの表示をオンの状態とすることを特徴とする請求項２に記載のファイル管理装置。
【請求項４】
前記記録手段には、前記ファイルがフォルダごとに分けられて記録されており、
前記画像表示制御手段は、前記入力手段により第１のフォルダを選択する指示がなされて前記第１のフォルダに記録されている前記ファイルに係る画像を前記第１の表示領域及び前記第２の表示領域に表示している状態で、前記入力手段により第２のフォルダを選択する指示がなされた場合、前記第１の表示領域には、前記第２のフォルダに記録されている前記ファイルに係る画像を一覧表示し、前記第２の表示領域には、前記第１のフォルダに記録されている前記ファイルに係る画像のうち、前記チェックボックスの表示がオンの状態の画像のみを表示することを特徴とする請求項３に記載のファイル管理装置。
【請求項５】
前記第２の表示領域は、前記入力手段による指示により設定／非設定が切り替えられるように構成されており、前記第２のフォルダに記録されている前記ファイルに係る画像の表示が行われる際に、前記第２の表示領域が非設定になっている場合には、当該第２の表示領域を設定することを特徴とする請求項４に記載のファイル管理装置。
【請求項６】
前記入力手段により前記第１のフォルダを選択する指示が再度なされた場合、前記画像表示制御手段は、前記第１のフォルダに記録されている前記ファイルに係る画像を前記第１の表示領域に一覧表示し、前記選択状態表示制御手段は、前記第１の表示領域に表示される前記第１のフォルダに記録されている前記ファイルに係る画像のうち、前記第２の表示領域に表示されている画像と同じ画像に対して前記選択状態の表示を行い、前記チェックボックス表示制御手段は、前記第１の表示領域に表示される前記第１のフォルダに記録されている前記ファイルに係る画像のうち、前記第２の表示領域に表示されている画像と同じ画像の前記チェックボックスの表示をオンの状態とすることを特徴とする請求項４に記載のファイル管理装置。
【請求項７】
前記入力手段により、前記第２の表示領域に表示されている画像に係るファイルが記録されている前記フォルダを表示する指示がなされた場合、前記画像表示制御手段は、当該フォルダを検出し、当該フォルダに記録されている前記ファイルに係る画像を前記第１の表示領域に一覧表示し、前記選択状態表示制御手段は、前記第１の表示領域に表示される画像のうち、前記第２の表示領域に表示されている画像と同じ画像に対して前記選択状態の表示を行い、前記チェックボックス表示制御手段は、前記第１の表示領域に表示される画像のうち、前記第２の表示領域に表示されている画像と同じ画像の前記チェックボックスの表示をオンの状態とすることを特徴とする請求項４に記載のファイル管理装置。
【請求項８】
複数のファイルを記録する記録手段と、指示の入力を行うための入力手段とを備えたファイル管理装置の制御方法であって、
前記記録手段に記録されているファイルに係る画像を表示手段の第１の表示領域に一覧表示する画像表示制御ステップと、
前記第１の表示領域に表示された画像に対して選択状態に係る表示を行う選択状態表示制御ステップと、
前記第１の表示領域に表示された画像にチェックボックスを表示すると共に、当該チェックボックスのオン／オフの状態を切り替える表示を行うチェックボックス表示制御ステップとを有し、
前記入力手段によりオフの状態の前記チェックボックスが指示された場合には、前記チェックボックス表示制御ステップにおいて、当該チェックボックスの表示をオンの状態にし、前記選択状態表示制御ステップにおいて、当該チェックボックスにおける画像の表示を選択状態とし、
前記入力手段により画像が指示された場合には、前記選択状態表示制御ステップにおいて、当該画像の表示を選択状態とすると共に、前記チェックボックスがオンの状態の画像を除く他の画像の表示を選択状態が解除されたものとすることを特徴とするファイル管理装置の制御方法。
【請求項９】
複数のファイルを記録する記録手段と、指示の入力を行うための入力手段とを備えたファイル管理装置の制御方法をコンピュータに実行させるためのプログラムであって、
前記記録手段に記録されているファイルに係る画像を表示手段の第１の表示領域に一覧表示する画像表示制御ステップと、
前記第１の表示領域に表示された画像に対して選択状態に係る表示を行う選択状態表示制御ステップと、
前記第１の表示領域に表示された画像にチェックボックスを表示すると共に、当該チェックボックスのオン／オフの状態を切り替える表示を行うチェックボックス表示制御ステップとを有し、
前記入力手段によりオフの状態の前記チェックボックスが指示された場合には、前記チェックボックス表示制御ステップにおいて、当該チェックボックスの表示をオンの状態にし、前記選択状態表示制御ステップにおいて、当該チェックボックスにおける画像の表示を選択状態とし、
前記入力手段により画像が指示された場合には、前記選択状態表示制御ステップにおいて、当該画像の表示を選択状態とすると共に、前記チェックボックスがオンの状態の画像を除く他の画像の表示を選択状態が解除されたものとすることをコンピュータに実行させるためのプログラム。
【発明の詳細な説明】
【技術分野】
【０００１】
本発明は、ファイルの管理を行うファイル管理装置及びその制御方法、並びに、当該制御方法をコンピュータに実行させるためのプログラムに関するものである。
【背景技術】
【０００２】
従来、ファイルを管理するファイル管理システム（ファイル管理装置）においては、印刷処理などを行う際に、所望のファイルを選択状態にしてから印刷処理などの命令やメニューを実行している。例えば、１つのファイルを選択する場合は、マウスを使って所望のファイルをクリックして行うが、複数のファイルを選択する場合は、キーボードのＣｔｒｌやＳｈｉｆｔを押しながらファイルをクリックするという方法が用いられている（「非特許文献１」参照）。
【０００３】
他の方式では、例えば、チェックボックスをファイルに表示し、それをチェックすることで当該ファイルを選択するようにした技術もある（「非特許文献２」、「非特許文献３」参照）。
【０００４】
ここで、非特許文献２に記載されている内容について説明する。
図２１は、非特許文献２に記載の内容を説明するための模式図である。
【０００５】
図２１において、２１０１は、管理対象となる画像ファイルのサムネイルを表示する表示領域である。２１０２は、画像ファイルのサムネイルであり、図２１の表示領域２１０１には、サムネイル２１０２が１２個表示されていることを表している。２１０６は、チェックボックスであり、２１０３は、チェックされた状態を示すチェックマークである。また、２１０５は、マウスのカーソルである。この例では、すべてのサムネイル２１０２にチェックボックス２１０６が表示され、マウスでチェックボックス２１０６をクリックすることで、個々のサムネイル２１０２に対してチェックを付けたりはずしたりをトグルで切り替えることができる。
【０００６】
次に、非特許文献３に記載されている内容について説明する。
図２２は、非特許文献３に記載の内容を説明するための模式図である。
【０００７】
図２２において、図２１と同じ構成には同じ符号を付しており、その詳細な説明は省略する。チェックマーク２１０３は、画像ファイルが選択されている状態を示すものであり、サムネイル２１０２に付されたチェックボックス２１０６に表示される。ここで、図２１の場合と異なるのは、マウスのカーソル２１０５をサムネイル２１０２上に持ってくるとチェックボックス２１０６が表示される点と、それにチェックマーク２１０３を付けると選択状態を示す選択表示マーク２１０４がされる点である。更に、サムネイル２１０２のチェックボックス２１０６の領域以外をマウスでクリックすると、そのサムネイルに選択状態を示す選択表示マーク２１０４が表示される。ただし、この場合、チェックマーク２１０３は付かない。これにより、チェックボックス２１０６をクリックしても、サムネイル２１０２をクリックしても画像ファイルを選択できるようにしている。
【０００８】
また、その他の方式として、バスケットと称する領域に画像ファイルを一時的に置くことで、複数の画像ファイルを選択するようにした技術がある（「非特許文献４」参照）。
【０００９】
ここで、非特許文献４に記載されている内容について説明する。
図２３は、非特許文献４に記載の内容を説明するための模式図である。
【００１０】
図２３において、図２１と同じ構成には同じ符号を付しており、その詳細な説明は省略する。２３０１は、選択対象となっている画像ファイルを表示するバスケット領域である。例えば、マウスでサムネイルＢ（２１０２ｂ）をバスケット領域２３０１にドラッグドロップすると、バスケット領域２３０１にサムネイルＢ（２１０２ｂ）が表示される。図２３は、その後に、サムネイルＤ（２１０２ｄ）をバスケット領域２３０１にドラッグドロップした後の様子を表している。ユーザは、このように、選択したいサムネイルをドラッグドロップによりバスケット領域２３０１に載せることで複数のサムネイルを選択する。その後、例えば印刷処理などの処理を行う場合、バスケット領域２３０１に表示されているサムネイルが処理対象となる。
【００１１】
【非特許文献１】「まるごとわかるZoomBrowser EX 5.0」P.62, 技術評論社, 2005年
【非特許文献２】「できるWindows(登録商標)XP SP2対応 基本編」P.204, インプレス, 2004年
【非特許文献３】「Microsoft Windows(登録商標) Vista Unveiled」P.105-106, SAMS, 2006年
【非特許文献４】「ACDSee Ver.8 ユーザガイド」P.26
【発明の開示】
【発明が解決しようとする課題】
【００１２】
しかしながら、上述した従来技術においては、次のような問題があった。
【００１３】
非特許文献１に記載の方式では、誤ってＣｔｒｌやＳｈｉｆｔを押さずにファイルに係るサムネイル（画像）をクリックしてしまうと、それまで選択していた複数のファイルの選択がすべて解除されてしまい、最初から選択をし直す必要があった。
【００１４】
非特許文献２に記載の方式では、チェックマークを付けたりはずしたりして切り替える以外に、ファイルの選択ができなかった。この場合、ファイルを選択するときの最も基本的な操作であるファイルに係るサムネイル（画像）をクリックして選択する方法では、ファイルの選択ができなかった。
【００１５】
非特許文献３に記載の方式では、複数のチェックボックスをクリックして複数のサムネイルを選択した後に、誤って他のサムネイルのチェックボックスではない領域がクリックされると、それまでに選択したサムネイルの選択状態が解除されてしまっていた。
【００１６】
非特許文献４に記載の方式では、バスケット領域に表示されたファイルが処理対象となるため、どのファイルが処理対象であるかはバスケット領域を見ないと分からない。サムネイルの一覧が表示されている表示領域を見ただけでは、どれが選択されて処理対象のファイルであるかが分からなかった。
【００１７】
本発明は上述の問題点に鑑みてなされたものであり、複数のファイルの選択を容易に行えるようにするとともに、操作ミスによってファイルの選択状態が誤って解除されることを防ぎ、かつ、処理対象のファイルを分かりやすくすることを目的とする。
【課題を解決するための手段】
【００１８】
本発明のファイル管理装置は、複数のファイルを記録する記録手段と、指示の入力を行うための入力手段と、前記記録手段に記録されているファイルに係る画像を表示手段の第１の表示領域に一覧表示する画像表示制御手段と、前記第１の表示領域に表示された画像に対して選択状態に係る表示を行う選択状態表示制御手段と、前記第１の表示領域に表示された画像にチェックボックスを表示すると共に、当該チェックボックスのオン／オフの状態を切り替える表示を行うチェックボックス表示制御手段とを有し、前記入力手段によりオフの状態の前記チェックボックスが指示された場合には、前記チェックボックス表示制御手段は、当該チェックボックスの表示をオンの状態にし、前記選択状態表示制御手段は、当該チェックボックスにおける画像の表示を選択状態とし、前記入力手段により画像が指示された場合には、前記選択状態表示制御手段は、当該画像の表示を選択状態とすると共に、前記チェックボックスがオンの状態の画像を除く他の画像の表示を選択状態が解除されたものとする。
【００１９】
本発明のファイル管理装置の制御方法は、複数のファイルを記録する記録手段と、指示の入力を行うための入力手段とを備えたファイル管理装置の制御方法であって、前記記録手段に記録されているファイルに係る画像を表示手段の第１の表示領域に一覧表示する画像表示制御ステップと、前記第１の表示領域に表示された画像に対して選択状態に係る表示を行う選択状態表示制御ステップと、前記第１の表示領域に表示された画像にチェックボックスを表示すると共に、当該チェックボックスのオン／オフの状態を切り替える表示を行うチェックボックス表示制御ステップとを有し、前記入力手段によりオフの状態の前記チェックボックスが指示された場合には、前記チェックボックス表示制御ステップにおいて、当該チェックボックスの表示をオンの状態にし、前記選択状態表示制御ステップにおいて、当該チェックボックスにおける画像の表示を選択状態とし、前記入力手段により画像が指示された場合には、前記選択状態表示制御ステップにおいて、当該画像の表示を選択状態とすると共に、前記チェックボックスがオンの状態の画像を除く他の画像の表示を選択状態が解除されたものとする。
【００２０】
本発明のプログラムは、複数のファイルを記録する記録手段と、指示の入力を行うための入力手段とを備えたファイル管理装置の制御方法をコンピュータに実行させるためのプログラムであって、前記記録手段に記録されているファイルに係る画像を表示手段の第１の表示領域に一覧表示する画像表示制御ステップと、前記第１の表示領域に表示された画像に対して選択状態に係る表示を行う選択状態表示制御ステップと、前記第１の表示領域に表示された画像にチェックボックスを表示すると共に、当該チェックボックスのオン／オフの状態を切り替える表示を行うチェックボックス表示制御ステップとを有し、前記入力手段によりオフの状態の前記チェックボックスが指示された場合には、前記チェックボックス表示制御ステップにおいて、当該チェックボックスの表示をオンの状態にし、前記選択状態表示制御ステップにおいて、当該チェックボックスにおける画像の表示を選択状態とし、前記入力手段により画像が指示された場合には、前記選択状態表示制御ステップにおいて、当該画像の表示を選択状態とすると共に、前記チェックボックスがオンの状態の画像を除く他の画像の表示を選択状態が解除されたものとすることをコンピュータに実行させるためのものである。
【発明の効果】
【００２１】
本発明によれば、複数のファイルの選択を容易に行えるとともに、操作ミスによってファイルの選択状態が誤って解除されることを防ぎ、かつ、処理対象のファイルを分かりやすくすることができる。
【発明を実施するための最良の形態】
【００２２】
図１は、本発明の実施形態に係るファイル管理装置１００の概略構成の一例を示す図である。
【００２３】
図１において、１０１は、各種の画像や各種の情報などを表示する表示手段に相当する表示装置である。１０２は、例えばマウスやキーボードなどを備えて構成される入力手段に相当する入力装置である。例えば、後述の画像表示制御手段１０４によって表示装置１０１に表示された画像を、入力装置１０２のマウスによるクリックなどの入力によって選択指示をすることができる。１０３は、各種の複数の画像ファイルを記録する記録手段に相当する画像記録装置である。この際、画像記録装置１０３には、画像ファイルがフォルダごとに分かれて記録されている。
【００２４】
１０４は、画像記録装置１０３に記録されている画像ファイルの画像や、画像記録装置１０３の中のフォルダ等の情報を表示装置１０１に表示する制御を行う画像表示制御手段である。１０５は、表示装置１０１に表示された画像を選択状態にしたり、選択状態を解除したりする表示の制御を行う選択状態表示制御手段である。
【００２５】
１０６は、画像表示制御手段１０４によって表示装置１０１に表示された画像に重ねてチェックボックスを表示する制御を行うチェックボックス表示制御手段である。更には、チェックボックス表示制御手段１０６は、入力装置１０２から入力された指示によってチェックボックスのオン／オフの状態を切り替える表示を行うことができる。１０７は、選択状態にある画像を表示する領域である選択トレイを表示する制御を行う選択トレイ表示制御手段である。
【００２６】
図２は、本発明の実施形態に係るファイル管理装置１００において、表示装置１０１の表示画面１０１ａにおける表示例を示す模式図である。
【００２７】
図２において、２０１は、画像記録装置１０３に記録されている画像ファイルが入っているフォルダの一覧を表しており、このフォルダ一覧２０１は、画像表示制御手段１０４によって表示画面１０１ａのフォルダ一覧表示領域２１１に表示される。図２のフォルダ一覧２０１には、フォルダＡ（２０１ａ）、フォルダＢ（２０１ｂ）及びフォルダＣ（２０１ｃ）が示されている。また、図２に示す表示画面１０１ａには、フォルダＡ（２０１ａ）の中の画像ファイルに係る画像が一覧表示されており、フォルダＡ（２０１ａ）が強調表示されている。
【００２８】
２０２（２０２ａ〜２０２ｆ）は、画像表示制御手段１０４によって表示画面１０１ａの画像一覧表示領域（第１の表示領域）２１０に表示される画像である。図２の画像一覧表示領域２１０には、フォルダＡ（２０１ａ）の中に入っている複数の画像ファイルの画像のうち、画像Ａ（２０２ａ）〜画像Ｆ（２０２ｆ）までの６個の画像が一覧表示されている。
【００２９】
２０６は、チェックボックス表示制御手段１０６により各画像に付されて表示されるチェックボックスである。本例では、チェックボックス２０６は、各画像の左上に表示されているが、別の場所に付されていてもよい。２０３は、チェックボックス２０６がオンになったときに表示されるチェックマークであり、また、チェックボックス２０６がオフの際には非表示となる。このチェックマーク２０３の表示制御は、チェックボックス表示制御手段１０６によって行われる。なお、チェックボックス２０６とチェックマーク２０３は、他の形態であってもよく、マークが付けられるものであれば如何なる形態でもよい。
【００３０】
２０４は、画像ファイルが選択状態であることを示す選択表示マークであり、選択状態表示制御手段１０５によって表示される。ここで、選択状態とは、印刷処理や編集処理などの各種の処理が適用される対象であることを示す状態である。例えば、ユーザが印刷処理や編集処理を行う際には、まず所望の画像ファイルの画像を選択状態にして、それから印刷処理や編集処理などのメニューやボタンを選ぶことで、所望の画像ファイルに対して印刷処理や編集処理を行うことができる。２０５は、入力装置１０２を構成するマウスのカーソルを表している。
【００３１】
２０７は、選択トレイ表示制御手段１０７によって表示画面１０１ａに設けられる表示領域の選択トレイ（第２の表示領域）である。ここで、選択トレイ（第２の表示領域）２０７とは、選択状態となっている画像ファイルの画像を表示する領域である。
【００３２】
図２の例では、画像一覧表示領域２１０において選択状態となっている画像Ａ（２０２ａ）と画像Ｂ（２０２ｂ）が選択トレイ２０７に表示されている。また、選択トレイ２０７に表示される画像Ａ（２０２ａ）及び画像Ｂ（２０２ｂ）にも選択状態を表す選択表示マーク２０４が表示されている。更に、チェックマーク２０３についても、選択トレイ２０７の画像Ａ（２０２ａ）に反映されて表示されている。これによって、選択されている画像ファイルは、選択トレイ２０７においても画像一覧表示領域２１０においても、選択マークが付いており、つまり選択状態が同期しているので、ユーザはどちらを見ても選択されている画像ファイルを一目で把握することができる。
【００３３】
２０８は、選択トレイ２０７に表示されている画像の画像ファイルが含まれているフォルダを表示するためのフォルダ表示ボタンである。このフォルダ表示ボタン２０８を選択することにより、選択トレイ２０７に入っている画像の画像ファイルがどのフォルダに入っていたものであるのかを確認することができる。この詳細については後述する。なお、本実施形態では、選択トレイ２０７の表示／非表示（設定／非設定）は、切り替えられるものとする。この選択トレイ２０７を非表示にすることによって、画像一覧表示領域２１０のスペースが広くなり、多くの画像ファイルにおける画像を表示できるというメリットがある。
【００３４】
２０９は、選択トレイ２０７を開閉するための開閉ボタンである。即ち、この開閉ボタン２０９は、選択トレイ２０７の設定／非設定が切り替えられるように構成されたボタンである。図２においては、選択トレイ２０７が開いている（設定されている）ので、この開閉ボタン２０９をマウスのカーソル２０５でクリックすると選択トレイ２０７が閉じられる（非設定となる）。
【００３５】
図３は、図２に示す表示画面１０１ａに対して、選択トレイ２０７を閉じた（非設定とした）際の模式図である。
【００３６】
この図３に示す場合は、図２の選択トレイ２０７を開閉する開閉ボタン２０９だけが表示画面１０１ａの下部に表示されている。この状態で開閉ボタン２０９をマウスのカーソル２０５でクリックすると、選択トレイ２０７が再度表示される（再度設定される）。なお、この選択トレイ２０７は、ユーザがマウスのカーソル２０５を介して別のフォルダを選択すると自動で開かれる（設定される）。
【００３７】
次に、本発明の実施形態に係るファイル管理装置１００の動作について説明する。
【００３８】
図４は、本発明の実施形態に係るファイル管理装置１００において、選択されたフォルダの中に入っている画像ファイルの画像を一覧表示する際の制御を示すフローチャートである。
【００３９】
ユーザがあるフォルダをマウス等の入力装置１０２を介して選択すると、ステップＳ１０１において、画像表示制御手段１０４は、そのフォルダに入っている画像ファイルの画像を表示画面１０１ａの画像一覧表示領域２１０に表示する。その際に表示される画像は、オリジナルの画像サイズの画像でもよいし、或いは、サムネイル（縮小画像）でもよい。
【００４０】
続いて、ステップＳ１０２において、チェックボックス表示制御手段１０６は、ステップＳ１０１で表示されたそれぞれの画像に対してチェックボックス２０６を表示する。
【００４１】
続いて、ステップＳ１０３において、選択トレイ表示制御手段１０７は、表示画面１０１ａの所定領域に選択トレイ２０７を表示する。そして、このステップＳ１０３の処理が終了すると、図４に示すフローチャートの処理が終了する。
【００４２】
図５は、図４に示すフローチャートの動作により表示装置１０１の表示画面１０１ａに表示される表示例を示す模式図である。この図５において、図２と同じ構成には同じ符号を付している。なお、図５においては、フォルダ表示ボタン２０８及び開閉ボタン２０９の記載を省略している。
【００４３】
図５において５０１は、ユーザによって選択された選択フォルダを表している。即ち、図５の例では、フォルダ一覧２０１に示されたフォルダＡ（２０１ａ）〜フォルダＣ（２０１ｃ）の中から、ユーザによりフォルダＡ（２０１ａ）が選択フォルダ５０１として選択されたこと表している。
【００４４】
画像一覧表示領域２１０には、画像表示制御手段１０４により、選択フォルダ５０１であるフォルダＡ（２０１ａ）の中に入っている画像ファイルの画像Ａ（２０２ａ）〜画像Ｆ（２０２ｆ）が表示されている。そして、チェックボックス表示制御手段１０６により、画像Ａ（２０２ａ）〜画像Ｆ（２０２ｆ）のそれぞれの画像にチェックボックス２０６が表示されている。
【００４５】
また、図５の表示画面１０１ａには、選択トレイ表示制御手段１０７により、所定領域に選択トレイ２０７が表示されている。なお、この状態では、画像一覧表示領域２１０に一覧表示された画像が何も選択されていないので、選択トレイ２０７には何も表示されていない。
【００４６】
図６は、本発明の実施形態に係るファイル管理装置１００において、あるフォルダの中に入っている画像ファイルの画像が一覧表示されている状態で、画像がクリックされた際の制御を示すフローチャートである。
【００４７】
ステップＳ２０１において、まず、選択状態表示制御手段１０５は、ユーザが入力装置１０２であるマウスを用いてクリックした画像を選択状態にする。即ち、選択状態表示制御手段１０５は、クリックにより選択された画像に選択表示マーク２０４を付した表示を行う。
【００４８】
続いて、ステップＳ２０２において、画像表示制御手段１０４は、ステップＳ２０１で選択状態とされた画像を選択トレイ２０７にも表示する。その際、選択状態表示制御手段１０５は、選択トレイ２０７の画像も選択状態にする。
【００４９】
そして、入力装置１０２を介して他の画像の選択等がされると、続いて、ステップＳ２０３において、選択状態表示制御手段１０５は、選択状態の画像で、かつチェックマーク２０３が付いていない画像があれば、その画像の選択状態を解除する。その際、画像表示制御手段１０４は、選択トレイ２０７に表示されている画像を選択トレイ２０７から削除（消去）する。
【００５０】
そして、このステップＳ２０３の処理が終了すると、図６に示すフローチャートの処理が終了する。
【００５１】
図７及び図８は、図６に示すフローチャートの動作により表示装置１０１の表示画面１０１ａに表示される表示例を示す模式図である。この図７及び図８において、図２と同じ構成には同じ符号を付している。なお、図７及び図８においては、フォルダ表示ボタン２０８及び開閉ボタン２０９の記載を省略している。
【００５２】
図７（ａ）は、図６に示すフローチャートの動作の前のフォルダＡ（２０１ａ）の中に入っている画像ファイルの画像が、表示画面１０１ａの画像一覧表示領域２１０に一覧表示されている様子を表している。
【００５３】
この図７（ａ）の状態で画像Ａ（２０２ａ）がマウスのカーソル２０５でクリックされると、図７（ｂ）に示すように、画像一覧表示領域２１０の画像Ａ（２０２ａ）が選択状態になり、更に、選択トレイ２０７にも画像Ａ（２０２ａ）が選択状態で表示される。この図７（ｂ）に示す表示動作は、ステップＳ２０１及びＳ２０２により行われる。
【００５４】
また、図８（ａ）に示すように、すでに画像Ｂ（２０２ｂ）が選択状態のときに、画像Ａ（２０２ａ）がマウスのカーソル２０５でクリックされた場合について説明する。この場合、画像Ｂ（２０２ｂ）は、選択状態であるがチェックマーク２０３が付されていない画像であるため、図８（ａ）に示すように、画像Ｂ（２０２ｂ）の選択状態は解除されるとともに、選択トレイ２０７からも画像Ｂ（２０２ｂ）が削除（消去）される。この動作は、ステップＳ２０３により行われる。即ち、この場合、画像Ａ（２０２ａ）だけが選択状態になり、選択トレイ２０７にも表示されることになる。
【００５５】
このように、本発明の実施形態では、従来の操作性を踏襲するため、従来からよく行われているクリックで選択する方法も提供しつつ、更に選択トレイ２０７を設けることで選択した画像を一目で把握できるようにしている。この際、選択トレイ２０７に表示している画像は、画像一覧表示領域２１０においても選択状態とすることで、両者の表示を同期させ、どちらの表示領域を見ても選択されている画像が分かるようにしている。
【００５６】
図９は、本発明の実施形態に係るファイル管理装置１００において、あるフォルダの中に入っている画像ファイルの画像が一覧表示されている状態で、画像に付されたチェックボックスがクリックされた際の制御を示すフローチャートである。
【００５７】
ステップＳ３０１において、まず、選択状態表示制御手段１０５は、ユーザが入力装置１０２であるマウスを用いてクリックしたチェックボックス２０６に係る画像を選択状態にする。即ち、選択状態表示制御手段１０５は、クリックされたチェックボックス２０６の画像に選択表示マーク２０４を付した表示を行う。
【００５８】
続いて、ステップＳ３０２において、チェックボックス表示制御手段１０６は、クリックされた画像のチェックボックス２０６にチェックマーク２０３を付ける。
【００５９】
続いて、ステップＳ３０３において、画像表示制御手段１０４は、クリックされた画像を選択トレイ２０７に表示する。その際、選択状態表示制御手段１０５は、選択トレイ２０７の画像も選択状態とし、また、チェックボックス表示制御手段１０６は、選択トレイ２０７の画像にもチェックマーク２０３を付ける。
【００６０】
そして、入力装置１０２を介して他の画像の選択等がされると、続いて、ステップＳ３０４において、選択状態表示制御手段１０５は、選択状態の画像で、かつチェックマーク２０３が付いていない画像があれば、その画像の選択状態を解除する。その際、画像表示制御手段１０４は、選択トレイ２０７に表示されている画像を選択トレイ２０７から削除（消去）する。
【００６１】
即ち、このステップＳ３０４の処理では、選択状態の画像で、かつチェックマーク２０３が付いている画像であれば、その画像の選択状態は解除されず、また、選択トレイ２０７から削除（消去）されないことになる。
【００６２】
そして、このステップＳ３０４の処理が終了すると、図９に示すフローチャートの処理が終了する。
【００６３】
図１０は、図９に示すフローチャートの動作により表示装置１０１の表示画面１０１ａに表示される表示例を示す模式図である。この図１０において、図２と同じ構成には同じ符号を付している。なお、図１０においては、フォルダ表示ボタン２０８及び開閉ボタン２０９の記載を省略している。
【００６４】
図１０（ａ）は、画像Ｂ（２０２ｂ）がすでに選択状態である場合を示している。この図１０（ａ）に示す状態で、画像Ａ（２０２ａ）がチェック、即ち画像Ａのチェックボックス２０６がクリックされると、画像一覧表示領域２１０の画像Ａ（２０２ａ）が選択状態となり、そのチェックボックス２０６にチェックマーク２０３が付される。この動作は、ステップＳ３０１及びＳ３０２により行われる。更に、選択トレイ２０７にも画像Ａ（２０２ａ）が選択表示マーク２０４及びチェックマーク２０３とともに表示される。この動作は、ステップＳ３０３により行われる。
【００６５】
また、この場合、画像Ｂ（２０２ｂ）の選択状態が解除され、選択トレイ２０７からも削除（消去）される。この動作は、ステップＳ３０４により行われる。ここで、チェックマーク２０３が付けられた画像Ａ（２０２ａ）は、後述するように、チェックボックス２０６を再度クリックしてチェックマーク２０３をはずさない限り、選択状態が解除されず、選択トレイ２０７から削除（消去）されない。これにより、チェックマーク２０３が付された画像は確実な選択状態となり、ユーザの誤操作により当該画像の選択状態が解除されてしまうのを防ぐことができる。
【００６６】
図１１は、本発明の実施形態に係るファイル管理装置１００において、チェックマークが付いている画像が表示されている状態で、当該画像のチェックマーク（チェックボックス）がクリックされた際の制御を示すフローチャートである。
【００６７】
まず、ステップＳ４０１において、チェックボックス表示制御手段１０６は、クリックされたチェックボックス２０６における画像のチェックマーク２０３をはずす処理を行う。
【００６８】
続いて、ステップＳ４０２において、選択状態表示制御手段１０５は、当該画像の選択状態を解除する。
【００６９】
続いて、ステップＳ４０３において、画像表示制御手段１０４は、当該画像を選択トレイ２０７から削除（消去）する。そして、このステップＳ４０３の処理が終了すると、図１１に示すフローチャートの処理が終了する。
【００７０】
図１２は、図１１に示すフローチャートの動作により表示装置１０１の表示画面１０１ａに表示される表示例を示す模式図である。この図１２において、図２と同じ構成には同じ符号を付している。なお、図１２においては、フォルダ表示ボタン２０８及び開閉ボタン２０９の記載を省略している。
【００７１】
図１２（ａ）は、フォルダＡ（２０１ａ）の中に入っている画像ファイルの画像が一覧表示されている状態である。そして、図１２（ａ）は、画像Ａ（２０２ａ）がチェックされて、画像一覧表示領域２１０の画像Ａ（２０２ａ）が選択状態となり、そのチェックボックス２０６にチェックマーク２０３が付されているところを示す。
【００７２】
この状態で、画像Ａ（２０２ａ）のチェックマーク２０３（チェックボックス２０６）がクリックされると、画像一覧表示領域２１０の画像Ａ（２０２ａ）のチェックマーク２０３がはずれ、選択状態も解除される。また、画像Ａ（２０２ａ）は、選択トレイ２０７から削除（消去）される。この際、チェックマーク２０３を付けた場合と同様に、画像一覧表示領域２１０でチェックマーク２０３をはずしたら、それは選択トレイ２０７にも適用され、両者は連動する。
【００７３】
図１３は、本発明の実施形態に係るファイル管理装置１００において、選択状態になっている画像のチェックボックスが選択トレイ２０７でクリックされた際の制御を示すフローチャートである。
【００７４】
まず、選択状態となっている画像のチェックボックス２０６が選択トレイ２０７でクリックされると、ステップＳ５０１において、チェックボックス表示制御手段１０６は、選択トレイ２０７の当該画像のチェックボックス２０６にチェックマーク２０３を付ける。
【００７５】
続いて、ステップＳ５０２において、チェックボックス表示制御手段１０６は、画像一覧表示領域２１０の当該画像のチェックボックス２０６にもチェックマーク２０３を付ける。そして、このステップＳ５０２の処理が終了すると、図１３に示すフローチャートの処理が終了する。
【００７６】
図１４は、図１３に示すフローチャートの動作により表示装置１０１の表示画面１０１ａに表示される表示例を示す模式図である。この図１４において、図２と同じ構成には同じ符号を付している。なお、図１４においては、フォルダ表示ボタン２０８及び開閉ボタン２０９の記載を省略している。
【００７７】
図１４（ａ）は、画像Ａ（２０２ａ）がすでに選択状態である場合を示している。この図１４（ａ）に示す状態で、選択トレイ２０７に表示されている画像Ａ（２０２ａ）のチェックボックス２０６がクリックされると、図１４（ｂ）に示すように、選択トレイ２０７の画像Ａ（２０２ａ）のチェックボックス２０６にチェックマーク２０３が付く。さらに、画像一覧表示領域２１０の画像Ａ（２０２ａ）のチェックボックス２０６にもチェックマーク２０３が付く。これにより、画像一覧表示領域２１０だけでなく、選択トレイ２０７の画像のチェックボックス２０６をクリックしても、当該画像にチェックマーク２０３を付けることが可能となる。
【００７８】
図１５は、本発明の実施形態に係るファイル管理装置１００において、チェックマークが付いている画像のチェックボックスが選択トレイ２０７でクリックされた際の制御を示すフローチャートである。
【００７９】
この場合、ステップＳ６０１において、画像表示制御手段１０４は、チェックマークが付されたチェックボックスがクリックされた画像を選択トレイ２０７から削除（消去）する。
【００８０】
続いて、ステップＳ６０２において、チェックボックス表示制御手段１０６は、画像一覧表示領域２１０に表示されている、対応する画像のチェックマーク２０３をはずす（消去する）。
【００８１】
続いて、ステップＳ６０３において、選択状態表示制御手段１０５は、画像一覧表示領域２１０に表示されている、当該画像の選択状態を解除する。そして、このステップＳ６０３の処理が終了すると、図１５に示すフローチャートの処理が終了する。
【００８２】
図１６は、図１５に示すフローチャートの動作により表示装置１０１の表示画面１０１ａに表示される表示例を示す模式図である。この図１６において、図２と同じ構成には同じ符号を付している。なお、図１６においては、フォルダ表示ボタン２０８及び開閉ボタン２０９の記載を省略している。
【００８３】
図１６（ａ）は、画像Ａ（２０２ａ）がチェックされて、当該画像が選択状態及び当該画像にチェックマーク２０３が付されているところを示す。この場合に、チェックマーク２０３が付いている画像Ａ（２０２ａ）のチェックボックス２０６が選択トレイ２０７でクリックされると、図１６（ｂ）のように、画像Ａ（２０２ａ）が選択トレイ２０７から消去される。更に、画像一覧表示領域２１０において、画像Ａ（２０２ａ）の選択状態が解除され、チェックマーク２０３も表示されなくなる。これによって、画像一覧表示領域２１０からだけでなく、選択トレイ２０７からもチェックマーク２０３を解除することが可能になる。
【００８４】
図１７は、本発明の実施形態に係るファイル管理装置１００において、別のフォルダが選択された際の制御を示すフローチャートである。
【００８５】
ユーザからマウスのカーソル２０５を介してフォルダ一覧２０１の別のフォルダが選択されると、ステップＳ７０１において、選択トレイ表示制御手段１０７は、当該フォルダにおいて選択トレイ２０７が表示（設定）されている状態であるか否かを判断する。
【００８６】
ステップＳ７０１の判断の結果、選択されたフォルダにおいて選択トレイ２０７が非表示（非設定）の状態である場合には、ステップＳ７０２に進む。そして、ステップＳ７０２において、選択トレイ表示制御手段１０７は、表示画面１０１ａの所定領域に選択トレイ２０７を表示する（設定する）。
【００８７】
ステップＳ７０１で選択されたフォルダにおいて選択トレイ２０７が表示されている状態であると判断された場合、或いは、ステップＳ７０２の処理が終了した場合には、ステップＳ７０３に進む。
【００８８】
ステップＳ７０３において、画像表示制御手段１０４は、選択状態であってチェックマーク２０３が付されていない画像があれば、当該画像を選択トレイ２０７から消去し、チェックマーク２０３が付されている画像のみを選択トレイ２０７に表示する。
【００８９】
続いて、ステップＳ７０４において、画像表示制御手段１０４は、新たに選択されたフォルダの中に格納されている画像ファイルの画像を、表示画面１０１ａの画像一覧表示領域２１０に一覧表示する。
【００９０】
続いて、ステップＳ７０５において、画像表示制御手段１０４は、選択されたフォルダの中に格納されている画像ファイルの画像のうち、選択トレイ２０７に表示されている画像があるか否かを判断する。この判断の結果、選択トレイ２０７に表示されている画像がない場合には、図１７に示すフローチャートの処理が終了する。
【００９１】
一方、ステップＳ７０５の判断の結果、選択トレイ２０７に表示されている画像がある場合には、ステップＳ７０６に進む。そして、ステップＳ７０６において、選択状態表示制御手段１０５は、当該画像を画像一覧表示領域２１０において選択状態にし、また、チェックボックス表示制御手段１０６は、画像一覧表示領域２１０において当該画像にチェックマーク２０３を付ける。そして、このステップＳ７０６の処理が終了すると、図１７に示すフローチャートの処理が終了する。
【００９２】
図１８は、図１７に示すフローチャートの動作により表示装置１０１の表示画面１０１ａに表示される表示例を示す模式図である。この図１８において、図２と同じ構成には同じ符号を付している。なお、図１８においては、フォルダ表示ボタン２０８及び開閉ボタン２０９の記載を省略している。
【００９３】
図１８（ａ）は、選択フォルダ５０１として第１のフォルダであるフォルダＡ（２０１ａ）が選択されている状態において、画像Ａ（２０２ａ）が選択状態でかつチェックマーク２０３が付され、画像Ｂ（２０２ｂ）が選択状態である場合を示している。また、選択トレイ２０７は非表示（非設定）となっている。
【００９４】
この図１８（ａ）に示す状態においてマウスのカーソル２０５で第２のフォルダであるフォルダＢ（２０１ｂ）が選択フォルダ５０１として選択されると、図１８（ｂ）に示すように、まず、選択トレイ２０７が表示される。そして、この選択トレイ２０７には、それまでチェックマーク２０３が付されていた画像Ａ（２０２ａ）が表示され、選択状態ではあったがチェックマーク２０３が付されていなかった画像Ｂ（２０２ｂ）は、選択トレイ２０７には表示されない。
【００９５】
この処理によって、明確にチェックされていた（チェックマーク２０３が付されていた）画像だけが印刷などの処理を行う際の処理対象となり、明示的にチェックマーク２０３が付されていなかった画像は自動的に処理対象からはずれることになる。このように、チェックマーク２０３と選択状態とが両方されている画像と選択状態だけの画像との取り扱いを分けることにより、ユーザは確実に処理対象としたい画像はチェックをし、そうでない画像は気軽にクリックして選択状態だけにすることができる。本実施形態では、この２つの状態を使い分けることができる。
【００９６】
図１８（ｂ）の説明に戻ると、ここでは、更にフォルダＢ（２０１ｂ）の中に格納されている画像ファイルの画像が表示画面１０１ａの画像一覧表示領域２１０に一覧表示される。図１８（ｂ）に示す例では、画像一覧表示領域２１０に、画像Ｇ（２０２ｇ）、画像Ｈ（２０２ｈ）及び画像Ｉ（２０２ｉ）が表示されている。
【００９７】
この図１８（ｂ）に示す状態で、ユーザによりマウスのカーソル２０５を介して、画像Ｈ（２０２ｈ）のチェックボックス２０６がクリックされると、表示画面１０１ａは、図１８（ｃ）のようになる。即ち、この場合、選択状態でかつチェックマーク２０３が付された画像Ｈ（２０２ｈ）が、画像一覧表示領域２１０のみならず選択トレイ２０７にも表示される。
【００９８】
この図１８（ｃ）に示す状態で、フォルダＡ（２０１ａ）が選択フォルダ５０１としてマウスのカーソル２０５でクリックされると、表示画面１０１ａは、再度、フォルダＡ（２０１ａ）における画像表示画面に戻り、図１８（ｄ）のようになる。即ち、この場合、フォルダＡ（２０１ａ）の中に格納されている画像ファイルの画像が再度、画像一覧表示領域２１０に表示されており、更に、選択トレイ２０７に、選択状態でかつチェックマーク２０３が付された画像Ａ（２０２ａ）が表示される。
【００９９】
つまり、一度、チェックマーク２０３が付けられた画像は、フォルダを次々に移動しても、画像一覧表示領域２１０と選択トレイ２０７の両方において、常に、チェックマーク２０３が同期して表示される。これにより、ユーザはどちらの表示領域を見ても、現在選択されている画像を理解することができる。
【０１００】
なお、図１７に示す例では、選択トレイ２０７が表示されていなかった場合に常に選択トレイ２０７を表示するようにしているが、例えば、選択トレイ２０７が表示されていなくてかつ画像がチェックされている場合に、選択トレイ２０７を表示する形態でもよい。この場合は、別のフォルダが選択された際に、引き続いて選択される画像があるときだけ選択トレイ２０７が表示され、何も選択されていないときは選択トレイ２０７が表示されないので、必要なとき以外は選択トレイ２０７を表示せずに済むというメリットがある。即ち、必要なとき以外は選択トレイ２０７を表示せずに、画像一覧表示領域２１０の表示領域を広範囲にして、画像一覧表示領域２１０に表示する画像を増やすことができる等の効果がある。
【０１０１】
図１９は、本発明の実施形態に係るファイル管理装置１００において、選択トレイ２０７に表示されている画像が含まれているフォルダを表示させる際の制御を示すフローチャートである。
【０１０２】
ユーザがマウスのカーソル２０５を介して図２のフォルダ表示ボタン２０８をクリックすると、ステップＳ８０１において、例えば、画像表示制御手段１０４は、選択トレイ２０７の先頭に表示されている画像が含まれているフォルダを検出し選択をする。
【０１０３】
続いて、ステップＳ８０２において、画像表示制御手段１０４は、ステップＳ８０１で選択したフォルダの中に格納されている画像ファイルの画像を、画像一覧表示領域２１０に表示する。
【０１０４】
続いて、ステップＳ８０３において、画像表示制御手段１０４は、画像一覧表示領域２１０に表示された画像のうち、選択トレイ２０７に表示されている画像があるか否かを判断する。この判断の結果、画像一覧表示領域２１０に表示された画像のうち、選択トレイ２０７に表示されている画像がない場合には、図１９に示すフローチャートの処理が終了する。
【０１０５】
一方、ステップＳ８０３の判断の結果、画像一覧表示領域２１０に表示された画像のうち、選択トレイ２０７に表示されている画像がある場合には、ステップＳ８０４に進む。そして、ステップＳ８０４において、選択状態表示制御手段１０５は、画像一覧表示領域２１０に表示されている当該画像を選択状態にし、また、チェックボックス表示制御手段１０６は、当該画像のチェックボックス２０６にチェックマーク２０３を付ける。
【０１０６】
図２０は、図１９に示すフローチャートの動作により表示装置１０１の表示画面１０１ａに表示される表示例を示す模式図である。この図２０において、図２と同じ構成には同じ符号を付している。なお、図２０においては、開閉ボタン２０９の記載を省略している。
【０１０７】
図２０（ａ）は、選択フォルダ５０１としてフォルダＢ（２０１ｂ）が選択され、当該フォルダＢ（２０１ｂ）に格納されている画像ファイルの画像Ｇ（２０２ｇ）〜画像Ｉ（２０２ｉ）が画像一覧表示領域２１０に表示されている場合を示している。また、選択トレイ２０７には、画像Ａ（２０２ａ）がチェックマーク２０３を付されて表示されている。ここで、画像Ａ（２０２ａ）は、フォルダＡ（２０１ａ）に格納されている画像ファイルの画像である。
【０１０８】
この図２０（ａ）に示す状態で、フォルダ表示ボタン２０８がマウスのカーソル２０５によりクリックされると、表示画面１０１ａは、図２０（ｂ）のようになる。即ち、この場合、まず、選択トレイ２０７に表示されている画像Ａ（２０２ａ）が含まれているフォルダＡ（２０１ａ）が選択フォルダ５０１として選択される。そして、フォルダＡ（２０１ａ）に格納されている画像ファイルの画像Ａ（２０２ａ）〜画像Ｆ（２０２ｆ）が画像一覧表示領域２１０に表示され、そのうち選択トレイ２０７に表示されている画像Ａ（２０２ａ）が選択状態でかつチェックマーク２０３が付される。
【０１０９】
図１９に示す処理を実行することで、様々なフォルダから集められてきた選択トレイ２０７の中の画像がどのフォルダから選択されたのかを簡単に把握することができる。なお、選択トレイ２０７に複数の画像が表示されている場合は、フォルダ表示ボタン２０８を繰り返しクリックすることにより、選択トレイ２０７の画像が含まれているフォルダが次々と切り替わっていくようにする。また、選択トレイ２０７に表示されている画像を選択する選択手段を設け、その選択手段により選択された画像のフォルダが表示されるようにしてもよい。
【０１１０】
以上説明したように、本実施形態に係るファイル管理装置１００では、あるファイルに係る画像が選択状態になっているときに別のファイルに係る画像がクリックされると、元のファイルの選択状態が解除されて新たにクリックされたファイルが選択状態となる。これに加えて、チェックボックス２０６による選択を設け、別のファイルに係る画像がクリックされた場合でも、チェックボックス２０６がオンの状態の画像ファイルの選択は有効にしている。これにより、画像のよる選択とチェックボックス２０６による選択とで異なる選択状況を創出することができる。例えば、チェックボックス２０６をオンにしておけば、誤って他のファイルに係る画像がクリックされても選択状態が解除されなくなり、この場合、操作ミスによってファイルの選択状態が誤って解除されることが防げる。
【０１１１】
また、本実施形態に係るファイル管理装置１００では、画像一覧表示領域（第１の表示領域）２１０において選択状態となったファイルに係る画像が選択トレイ（第２の表示領域）２０７に表示されるので、処理対象の画像ファイルが一目で分かる。更に、画像一覧表示領域２１０と選択トレイ２０７とは、選択状態が同期して行われるため、どちらの表示領域を見ても、どの画像が選択状態にあるのかがすぐに分かり、画像の選択状態を把握する際に誤解を生じることがない。
【０１１２】
また、本実施形態に係るファイル管理装置１００では、別のフォルダに切り替えたときに、チェックボックス２０６がオンの画像のみが選択トレイ２０７に表示され、単に選択表示マーク２０４が付された画像はその選択状態が解除されるようになっている。これにより、フォルダに跨って処理対象の画像ファイルを選択したい場合は、画像にチェックマーク２０３を付ける（チェックボックス２０６をオンの状態にする）ことで実現できる。また、今までのように、フォルダを切り替えたときに選択状態が解除されるようにする場合には、画像をクリックして選択表示マーク２０４による選択状態とすることで実現できる。つまり、高度な機能を提供しながらも、従来の操作性も両立させることができる。
【０１１３】
また、本実施形態に係るファイル管理装置１００では、選択トレイ２０７が非表示（非設定）になっているときに、別のフォルダが選択されると選択トレイ２０７が表示（設定）される。さらに、この選択トレイ２０７には、チェックボックス２０６がオンになっている画像ファイルが表示されるので、別のフォルダに移っても、チェックボックス２０６がオンの状態の画像ファイルが引き続き選択状態になっていることが容易に分かる。例えば、初期状態では選択トレイ２０７を非設定とし、別のフォルダに移ったときだけ設定するようにすれば、単一のフォルダでファイルを選択している際には、ユーザは画像一覧表示領域２１０にのみ意識を集中させることができる。これにより、ユーザは選択トレイ２０７の表示を煩わしく思うこと無く、必要な場合だけ使用することができる。
【０１１４】
また、本実施形態に係るファイル管理装置１００では、選択トレイ２０７に表示されている画像が、現在、選択されているフォルダに入っている画像ファイルのものであれば、画像一覧表示領域２１０の画像にもチェックマーク２０３が付けられて表示される。このように、画像一覧表示領域２１０と選択トレイ２０７との選択状態を同期させることにより、ユーザは画像の選択状態を常に正しく把握することができる。
【０１１５】
また、本実施形態に係るファイル管理装置１００では、フォルダ表示ボタン２０８がクリックされた場合には、画像表示制御手段１０４が、選択トレイ２０７に表示されている画像に係るファイルが記録されているフォルダを検出するようにしている。そして、画像表示制御手段１０４は、検出したフォルダに記録されているファイルに係る画像を画像一覧表示領域２１０に表示するようにしている。この際、画像一覧表示領域２１０に表示される画像のうち、選択トレイ２０７に表示されている画像と同じ画像に対しては、同様の選択状態の表示がなされる。これにより、複数のフォルダに跨ってファイルを選択しても、もとの場所（フォルダ）を簡単に把握することができ、どこのフォルダにあったファイルなのかが容易に分かる。
【０１１６】
以上説明したように、本実施形態に係るファイル管理装置１００によれば、複数のファイルの選択を容易に行えるとともに、操作ミスによってファイルの選択状態が誤って解除されることを防ぎ、かつ、処理対象のファイルを分かりやすくすることができる。
【０１１７】
前述した本実施形態に係るファイル管理装置１００を構成する図１の各手段は、コンピュータのＲＡＭやＲＯＭなどに記憶されたプログラムが動作することによって実現できる。並びに、ファイル管理装置１００の制御方法を示した図４、図６、図９、図１１、図１３、図１５、図１７及び図１９の各ステップは、コンピュータのＲＡＭやＲＯＭなどに記憶されたプログラムが動作することによって実現できる。このプログラム及び当該プログラムを記録したコンピュータ読み取り可能な記憶媒体は本発明に含まれる。
【０１１８】
具体的に、前記プログラムは、例えばＣＤ−ＲＯＭのような記憶媒体に記録し、或いは各種伝送媒体を介し、コンピュータに提供される。前記プログラムを記録する記憶媒体としては、ＣＤ−ＲＯＭ以外に、フレキシブルディスク、ハードディスク、磁気テープ、光磁気ディスク、不揮発性メモリカード等を用いることができる。他方、前記プログラムの伝送媒体としては、プログラム情報を搬送波として伝搬させて供給するためのコンピュータネットワーク（ＬＡＮ、インターネットの等のＷＡＮ、無線通信ネットワーク等）システムにおける通信媒体を用いることができる。また、この際の通信媒体としては、光ファイバ等の有線回線や無線回線などが挙げられる。
【０１１９】
また、コンピュータが供給されたプログラムを実行することにより本実施形態に係るファイル管理装置１００の機能が実現されるだけではない。そのプログラムがコンピュータにおいて稼働しているＯＳ（オペレーティングシステム）或いは他のアプリケーションソフト等と共同して本実施形態に係るファイル管理装置１００の機能が実現される場合も、かかるプログラムは本発明に含まれる。また、供給されたプログラムの処理の全て、或いは一部がコンピュータの機能拡張ボードや機能拡張ユニットにより行われて本実施形態に係るファイル管理装置１００の機能が実現される場合も、かかるプログラムは本発明に含まれる。
【図面の簡単な説明】
【０１２０】
【図１】本発明の実施形態に係るファイル管理装置の概略構成の一例を示す図である。
【図２】本発明の実施形態に係るファイル管理装置において、表示装置の表示画面における表示例を示す模式図である。
【図３】図２に示す表示画面に対して、選択トレイを閉じた（非設定とした）際の模式図である。
【図４】本発明の実施形態に係るファイル管理装置において、選択されたフォルダの中に入っている画像ファイルの画像を一覧表示する際の制御を示すフローチャートである。
【図５】図４に示すフローチャートの動作により表示装置の表示画面に表示される表示例を示す模式図である。
【図６】本発明の実施形態に係るファイル管理装置において、あるフォルダの中に入っている画像ファイルの画像が一覧表示されている状態で、画像がクリックされた際の制御を示すフローチャートである。
【図７】図６に示すフローチャートの動作により表示装置の表示画面に表示される表示例を示す模式図である。
【図８】図６に示すフローチャートの動作により表示装置の表示画面に表示される表示例を示す模式図である。
【図９】本発明の実施形態に係るファイル管理装置において、あるフォルダの中に入っている画像ファイルの画像が一覧表示されている状態で、画像に付されたチェックボックスがクリックされた際の制御を示すフローチャートである。
【図１０】図９に示すフローチャートの動作により表示装置の表示画面に表示される表示例を示す模式図である。
【図１１】本発明の実施形態に係るファイル管理装置において、チェックマークが付いている画像が表示されている状態で、当該画像のチェックマーク（チェックボックス）がクリックされた際の制御を示すフローチャートである。
【図１２】図１１に示すフローチャートの動作により表示装置の表示画面に表示される表示例を示す模式図である。
【図１３】本発明の実施形態に係るファイル管理装置において、選択状態になっている画像のチェックボックスが選択トレイでクリックされた際の制御を示すフローチャートである。
【図１４】図１３に示すフローチャートの動作により表示装置の表示画面に表示される表示例を示す模式図である。
【図１５】本発明の実施形態に係るファイル管理装置において、チェックマークが付いている画像のチェックボックスが選択トレイ２０７でクリックされた際の制御を示すフローチャートである。
【図１６】図１５に示すフローチャートの動作により表示装置の表示画面に表示される表示例を示す模式図である。
【図１７】本発明の実施形態に係るファイル管理装置において、別のフォルダが選択された際の制御を示すフローチャートである。
【図１８】図１７に示すフローチャートの動作により表示装置の表示画面に表示される表示例を示す模式図である。
【図１９】本発明の実施形態に係るファイル管理装置において、選択トレイに表示されている画像が含まれているフォルダを表示させる際の制御を示すフローチャートである。
【図２０】図１９に示すフローチャートの動作により表示装置の表示画面に表示される表示例を示す模式図である。
【図２１】非特許文献２に記載の内容を説明するための模式図である。
【図２２】非特許文献３に記載の内容を説明するための模式図である。
【図２３】非特許文献４に記載の内容を説明するための模式図である。
【符号の説明】
【０１２１】
１００：ファイル管理装置
１０１：表示装置
１０２：入力装置
１０３：画像記録装置
１０４：画像表示制御手段
１０５：選択状態表示制御手段
１０６：チェックボックス表示制御手段
１０７：選択トレイ表示制御手段
１０１ａ：表示画面
２０１：フォルダ一覧
２０１ａ〜２０１ｃ：フォルダＡ〜フォルダＣ
２０２ａ〜２０２ｆ：画像
２０３：チェックマーク
２０４：選択表示マーク
２０５：マウスのカーソル
２０６：チェックボックス
２０７：選択トレイ
２０８：フォルダ表示ボタン
２０９：開閉ボタン
２１０：画像一覧表示領域
２１１：フォルダ一覧表示領域
【図１】
2008269083.tif 000003
【図２】
2008269083.tif 000004
【図３】
2008269083.tif 000005
【図４】
2008269083.tif 000006
【図５】
2008269083.tif 000007
【図６】
2008269083.tif 000008
【図７】
2008269083.tif 000009
【図８】
2008269083.tif 000010
【図９】
2008269083.tif 000011
【図１０】
2008269083.tif 000012
【図１１】
2008269083.tif 000013
【図１２】
2008269083.tif 000014
【図１３】
2008269083.tif 000015
【図１４】
2008269083.tif 000016
【図１５】
2008269083.tif 000017
【図１６】
2008269083.tif 000018
【図１７】
2008269083.tif 000019
【図１８】
2008269083.tif 000020
【図１９】
2008269083.tif 000021
【図２０】
2008269083.tif 000022
【図２１】
2008269083.tif 000023
【図２２】
2008269083.tif 000024
【図２３】
2008269083.tif 000025